(57)【要約】      （修正有）【課題】本発明は深層水温度差発電装置に利用する深層水取水手段に関する。【解決手段】水面上の水排出用開口を備えた深層水貯蔵槽と前記深層水貯蔵槽の下部に他端の深層水取水開口を備えたライザー管を具備する深層水取水構造物と、前記深層水貯蔵槽の内部を貫通し内部の水面が前記深層水貯蔵槽外の水面と同じである際前記水排出用開口を閉鎖する比重が水より小さな内部貫通部材を備え、前記深層水貯蔵槽内で前記内部貫通部材の上部の空気を排気することにより前記内部貫通部材と前記深層水貯蔵槽内の水面を前記深層水貯蔵槽外の水面より上部に移動させることにより前記水排出用開口より海水又は湖水を前記深層水貯蔵槽の外に放出して前記ライザー管内の海水又は湖水を上部に移動させ前記深層水取水構造物内の海水又は湖水を循環することにより前記深層水取水開口より深層水を取水する深層水取水手段。【選択図】なし【特許請求の範囲】
【請求項１】
一端の上部に大きな内外径を備えると共に水面上の水排出用開口を備えた深層水貯蔵槽と前記深層水貯蔵槽の下部に他端の深層水取水開口を備えたライザー管を具備する深層水取水構造物と、前記深層水貯蔵槽の内部を貫通し内部の水面が前記深層水貯蔵槽外の水面と同じである際前記水排出用開口を閉鎖する比重が水より小さな内部貫通部材を備え、前記深層水貯蔵槽内での前記内部貫通部材の上部の空気を排気することにより前記内部貫通部材と前記深層水貯蔵槽内の水面を前記深層水貯蔵槽外の水面より上部に移動させることにより前記水排出用開口より海水又は湖水を前記深層水貯蔵槽の外に放出して前記ライザー管内の海水又は湖水を上部に移動させ前記深層水取水構造物内の海水又は湖水を循環することにより前記深層水取水開口より深層水を前記深層水貯蔵槽に取水することを特徴とする深層水取水手段。
【請求項２】
前記深層水貯蔵槽の下部に複数個のライザー管を具備することをを特徴とする請求項1記載の深層水取水手段。
【請求項３】
一端の上部に大きな内外径を備えると共に水面上の水排出用開口を備えた深層水貯蔵槽と前記深層水貯蔵槽の下部に他端の深層水取水開口を備えたライザー管を具備する深層水取水構造物と、前記深層水貯蔵槽の内部を貫通し内部の水面が前記深層水貯蔵槽外の水面と同じである際前記水排出用開口を閉鎖する比重が水より小さな内部貫通部材を備え、前記深層水貯蔵槽内での前記内部貫通部材の上部の空気を排気することにより前記内部貫通部材と前記深層水貯蔵槽内の水面を前記深層水貯蔵槽外の水面より上部に移動させることにより前記水排出用開口より海水又は湖水を前記深層水貯蔵槽の外に放出して前記ライザー管内の海水又は湖水を上部に移動させ前記深層水取水構造物内の海水又は湖水を循環することにより前記深層水取水開口より深層水を前記深層水貯蔵槽に取水することを特徴とする作動流体ガ深層水に通過する凝縮器と作動流体ガ表層水に通過する蒸発器を具備する深層水温度差発電装置に利用する深層水取水手段。
【発明の詳細な説明】
【技術分野】
【０００１】
本発明は深層水温度差発電装置に利用する深層水取水手段に関する。
【背景技術】
【０００２】
従来から海洋深層水温度差発電装置が提案されている（非特許文献１）。
又、本出願人は水中資源回収装置（特５９５６５１９号）及び浮魚礁と環状漁業浮島及び津波対策鎖状環状漁業浮島（特５９６９５６５号）を既に提案している。
【先行技術文献】
【特許文献】
【０００３】
【特許文献１】特５９５６５１９
【特許文献２】特５９６９５６５
【非特許文献】
【０００４】
【非特許文献１】未来をひらく海洋温度差発電(2007.2.1発行  サンマーク出版発行  著者  上原春男）
【発明の概要】
【発明が解決しようとする課題】
【０００５】
本発明は深層水温度差発電装置に利用する新規な深層水取水手段に関する。
【課題を解決するための手段】
【０００６】
本願発明は、一端の上部に大きな内外径を備えると共に水面上の水排出用開口を備えた深層水貯蔵槽と前記深層水貯蔵槽の下部に他端の深層水取水開口を備えたライザー管を具備する深層水取水構造物により前記深層水取水構造物内の海水又は湖水を循環して深層水を取水することを特徴とする深層水温度差発電装置に利用する新規な深層水取水手段に関する。
請求項1に記載の深層水取水手段は、一端の上部に大きな内外径を備えると共に水面上の水排出用開口を備えた深層水貯蔵槽と前記深層水貯蔵槽の下部に他端の深層水取水開口を備えたライザー管を具備する深層水取水構造物と、前記深層水貯蔵槽の内部を貫通し内部の水面が前記深層水貯蔵槽外の水面と同じである際前記水排出用開口を閉鎖する比重が水より小さな内部貫通部材を備え、前記深層水貯蔵槽内での前記内部貫通部材の上部の空気を排気することにより前記内部貫通部材と前記深層水貯蔵槽内の水面を前記深層水貯蔵槽外の水面より上部に移動させることにより前記水排出用開口より海水又は湖水を前記深層水貯蔵槽の外に放出して前記ライザー管内の海水又は湖水を上部に移動させ前記深層水取水構造物内の海水又は湖水を循環することにより前記深層水取水開口より深層水を前記深層水貯蔵槽に取水することを特徴とする。
請求項２に記載の深層水取水手段は、前記深層水貯蔵槽の下部に複数個のライザー管を具備することをを特徴とする請求項1記載の深層水取水手段。
請求項３に記載の作動流体ガ深層水に通過する凝縮器と作動流体ガ表層水に通過する蒸発器を具備する深層水温度差発電装置に利用する深層水取水手段は、一端の上部に大きな内外径を備えると共に水面上の水排出用開口を備えた深層水貯蔵槽と前記深層水貯蔵槽の下部に他端の深層水取水開口を備えたライザー管を具備する深層水取水構造物と、前記深層水貯蔵槽の内部を貫通し内部の水面が前記深層水貯蔵槽外の水面と同じである際前記水排出用開口を閉鎖する比重が水より小さな内部貫通部材を備え、前記深層水貯蔵槽内での前記内部貫通部材の上部の空気を排気することにより前記内部貫通部材と前記深層水貯蔵槽内の水面を前記深層水貯蔵槽外の水面より上部に移動させることにより前記水排出用開口より海水又は湖水を前記深層水貯蔵槽の外に放出して前記ライザー管内の海水又は湖水を上部に移動させ前記深層水取水構造物内の海水又は湖水を循環することにより前記深層水取水開口より深層水を前記深層水貯蔵槽内に取水することを特徴とする。
【発明の効果】
【０００７】
前記深層水貯蔵槽内で上部の空気を排気して前記深層水貯蔵槽内の水面を前記深層水貯蔵槽外の水面より上部に移動させることにより水排出用開口より海水又は湖水を前記深層水貯蔵槽の外に放出して前記深層水取水構造物内の海水又は湖水を循環することにより深層水取水開口を介して深層水をライザー管内で上昇移動して少ないエネルギーで迅速に前記深層水貯蔵槽内に深層水を取水し貯蔵する。また、前記深層水貯蔵槽内に深層水温度差発電の作動流体の凝縮器を内蔵して少ないエネルギーで深層水を取水する。
【発明を実施するための形態】
【０００８】
本発明による深層水取水手段の第一の実施形態は、一端の上部に大きな内外径を備えると共に上部の空気排出開口と水面上の水排出用開口を備えた円形深層水貯蔵槽と前記円形深層水貯蔵槽の下部に他端の深層水取水開口を備えた複数個の柔軟性ライザー管を具備する深層水取水構造物と、前記円形深層水貯蔵槽の一端の上部を水面上に保持する浮体構造物と、前記円形深層水貯蔵槽の内部を貫通し内部の水面が前記円形深層水貯蔵槽外の水面と同じである際前記水排出用開口を閉鎖する比重が水より小さな円筒形内部貫通部材と、風力発電等自然エネルギー発電手段と、前記空気排出開口と接続され前記円形深層水貯蔵槽内で上部の空気を前記自然エネルギー発電手段により排気する空気排気手段を備え、前記円形深層水貯蔵槽内部の水面が前記円形貯蔵槽外の水面と同じである際前記空気排気手段により前記円形深層水貯蔵槽内で上部の空気を排気することにより前記円筒形内部貫通部材を前記円形深層水貯蔵槽内の上部に移動させることにより前記水排出用開口より海水又は湖水を前記円形深層水貯蔵槽の外に放出して前記ライザー管内の海水又は湖水を上部に移動させ前記深層水取水構造物内の海水又は湖水を循環することにより前記深層水取水開口より深層水を取水する。
【０００９】
前記円形深層水貯蔵槽内の水面を前記円形深層水貯蔵槽外の水面より上部に移動させる水の容量は前記水排出用開口より排出する水の容量より比較的大きくなるべく円形深層水貯蔵槽の内外形を大きくする。なお、前記ライザー管内を上昇移動する深層水の速度は前記水排出用開口より排出する水の容量に依存する。
前記円形深層水貯蔵槽内部の水面が前記円形貯蔵槽外の水面と同じである際、前記自然エネルギー発電手段により前記円形深層水貯蔵槽内で上部の空気を排気することにより前記円筒形内部貫通部材を前記円形深層水貯蔵槽内の上部に移動させ前記水排出用開口より海水又は湖水を前記円形深層水貯蔵槽の外に放出して前記ライザー管内の海水又は湖水を上部に移動させ前記深層水取水構造物内の海水又は湖水を循環することにより前記深層水取水開口より深層水を取水し前記ライザー管内を上昇移動した深層水は前記円形深層水貯蔵槽内に貯蔵される。前記円形深層水貯蔵槽に貯蔵された深層水は温度がより低温の深層水が前記円形深層水貯蔵槽の底部に溜まる。前記円形深層水貯蔵槽の下部に複数個のライザー 管を具備すれば前記円形深層水貯蔵槽に貯蔵される深層水の容量は大きくなる。 なお、前記円形深層水貯蔵槽は外径が円形で説明したが、正方形等任意の形状が可能である。
【００１０】
本発明による深層水温度差発電装置に利用する深層水取水手段の一実施例は、作動流体ガ深層水に通過する凝縮器と作動流体ガ表層水に通過する蒸発器を具備する深層水温度差発電装置において、一端の上部に大きな内外径を備えると共に上部の空気排出開口と水面上の水排出用開口を備えた円形深層水貯蔵槽と前記円形深層水貯蔵槽の下部に他端の深層水取水開口を備えた複数個のライザー管を具備する深層水取水構造物と、前記円形深層水貯蔵槽の一端の上部を水面上に保持する浮体構造物と、前記円形深層水貯蔵槽の内部を貫通し内部の水面が前記円形深層水貯蔵槽外の水面と同じである際前記水排出用開口を閉鎖する比重が水より小さな円筒形内部貫通部材と、風力発電等自然エネルギー発電手段と、前記空気排出開口と接続され前記円形深層水貯蔵槽内で上部の空気を前記自然エネルギー発電手段により排気する空気排気手段と、前記円形深層水貯蔵槽内に内蔵する作動流体の凝縮器を備え、前記円形深層水貯蔵槽内で前記円筒形内部貫通部材の上部の空気を排気することにより前記円筒形内部貫通部材と前記円形深層水貯蔵槽内の水面を前記円形深層水貯蔵槽外の水面より上部に移動させることにより前記水排出用開口より海水又は湖水を前記円形深層水貯蔵槽の外に放出して前記ライザー管内の海水又は湖水を上部に移動させ前記深層水取水構造物内の海水又は湖水を循環することにより前記深層水取水開口より深層水を前記円形深層水貯蔵槽内に取水すると共に前記円形深層水貯蔵槽内に作動流体の凝縮器を内蔵する。
【００１１】
前記円形深層水貯蔵槽内部の水面が前記円形貯蔵槽外の水面と同じである際、前記自然エネルギー発電手段により前記円形深層水貯蔵槽内で上部の空気を排気することにより前記円筒形内部貫通部材を前記円形深層水貯蔵槽内の上部に移動させ前記水排出用開口より海水又は湖水を前記円形深層水貯蔵槽の外に放出して前記ライザー管内の海水又は湖水を上部に移動させ前記深層水取水構造物内の海水又は湖水を循環することにより前記深層水取水開口より深層水を少ないエネルギーで迅速に取水すると共に前記円形深層水貯蔵槽内に深層水温度差発電の作動流体の凝縮器を内蔵する。例えば１０００メートル等の深さのライザー管を介して深層での前記ライザー管の深層水取水開口から上昇移動した深層水は前記円形深層水貯蔵槽の底部に貯蔵されるので前記円形深層水貯蔵槽の底部の深層水は低温を維持される。